(57)【要約】【課題】スクリーンをスムーズに折り畳むことができるプリーツスクリーンを提供する。【解決手段】本発明によれば、ヘッドボックスと、前記ヘッドボックスから吊下支持され且つジグザグ状に折り畳み可能なスクリーンと、前記ヘッドボックスから前記スクリーンの部屋内側に垂下される部屋内側昇降コードと、前記ヘッドボックスから前記スクリーンの部屋外側に垂下される部屋外側昇降コードとを備え、前記部屋内側昇降コードと前記部屋外側昇降コードの間の前後方向距離が、前記スクリーンの畳み込み状態での前後方向幅よりも大きい、プリーツスクリーンが提供される。【選択図】図２
2014218803.tif 000002
【特許請求の範囲】
【請求項１】
ヘッドボックスと、前記ヘッドボックスから吊下支持され且つジグザグ状に折り畳み可能なスクリーンと、前記ヘッドボックスから前記スクリーンの部屋内側に垂下される部屋内側昇降コードと、前記ヘッドボックスから前記スクリーンの部屋外側に垂下される部屋外側昇降コードとを備え、前記部屋内側昇降コードと前記部屋外側昇降コードの間の前後方向距離が、前記スクリーンの畳み込み状態での前後方向幅よりも大きい、プリーツスクリーン。
【請求項２】
前記スクリーンは、一端に生地押さえが取着され、前記ヘッドボックスは、前記生地押さえを保持可能であり且つ前壁と後壁の少なくとも一方を有する生地押さえポケットを下面に有し、以下の特徴（１）〜（２）の少なくとも一方を備える、請求項１に記載のプリーツスクリーン。
（１）前記生地押さえポケットの前壁が前記ヘッドボックスの前壁よりも前後方向中央側に形成され、前記ヘッドボックスの下面は、前記生地押さえポケットの前壁と前記ヘッドボックスの前壁の間では、前記生地押さえポケットの上方での前記ヘッドボックスの下面の高さよりも低くなっており、前記部屋内側昇降コードは、前記生地押さえポケットの前壁と前記ヘッドボックスの前壁の間から垂下される。
（２）前記生地押さえポケットの後壁が前記ヘッドボックスの後壁よりも前後方向中央側に形成され、前記ヘッドボックスの下面は、前記生地押さえポケットの後壁と前記ヘッドボックスの後壁の間では、前記生地押さえポケットの上方での前記ヘッドボックスの下面の高さよりも低くなっており、前記部屋外側昇降コードは、前記生地押さえポケットの後壁と前記ヘッドボックスの後壁の間から垂下される。
【請求項３】
以下の特徴（ｉ）〜（ｉｉ）の少なくとも一方を備える、請求項２に記載のプリーツスクリーン。
（ｉ）前記ヘッドボックスの下面は、前記生地押さえポケットの前壁と前記ヘッドボックスの前壁の間では、前記生地押さえポケットの下面と同一面である。
（ｉｉ）前記ヘッドボックスの下面は、前記生地押さえポケットの後壁と前記ヘッドボックスの後壁の間では、前記生地押さえポケットの下面と同一面である。
【請求項４】
以下の特徴（Ａ）〜（Ｂ）の少なくとも一方を備える、請求項２又は請求項３に記載のプリーツスクリーン。
（Ａ）前記部屋内側昇降コードは、前記ヘッドボックス内に取着されたサポート部材に設けられた昇降コード導出部を通じて垂下され、前記昇降コード導出部は、前記生地押さえポケットの前壁と前記ヘッドボックスの前壁の間を通じて、前記ヘッドボックスの下面と同一面であるか又は前記ヘッドボックスの下面から下側に突出する。
（Ｂ）前記部屋外側昇降コードは、前記ヘッドボックス内に取着されたサポート部材に設けられた昇降コード導出部を通じて垂下され、前記昇降コード導出部は、前記生地押さえポケットの後壁と前記ヘッドボックスの後壁の間を通じて、前記ヘッドボックスの下面と同一面であるか又は前記ヘッドボックスの下面から下側に突出する。
【請求項５】
前記昇降コード導出部と、前記部屋外側昇降コード又は前記部屋内側昇降コードの間の前後方向距離は、前記スクリーンの畳み込み状態での前後方向幅よりも大きい、請求項４に記載のプリーツスクリーン。
【請求項６】
前記生地押さえポケットの前壁又は後壁は、畳み込み状態での前記スクリーンの前縁又は後縁と前後方向の位置が同じか、前記スクリーンの前縁又は後縁よりも前後方向中央側に位置している、請求項２〜請求項５の何れか１つに記載のプリーツスクリーン。
【請求項７】
前記部屋内側昇降コードと前記部屋外側昇降コードは、同時に操作される、請求項１〜請求項６の何れか１つに記載のプリーツスクリーン。
【発明の詳細な説明】
【技術分野】
【０００１】
この発明は、ジグザグ状に折り畳み可能としたスクリーンをヘッドボックスから昇降可能に吊下支持したプリーツスクリーンに関するものである。
【背景技術】
【０００２】
プリーツスクリーンは、上下方向にジグザグ状に折り畳み可能としたスクリーンをヘッドボックスから吊下支持し、そのスクリーンを操作装置により昇降して採光量を適宜に調節するものである。
【０００３】
このようなプリーツスクリーンでは、スクリーンの下端に取着されたボトムレールに昇降コードの一端が取着され、ヘッドボックス内に案内された昇降コードの他端を操作してボトムレールを昇降させることによって、スクリーンの畳み込み及び引き伸ばしを行う。
【先行技術文献】
【特許文献】
【０００４】
【特許文献１】特開２０００−２２０３６７号公報
【発明の概要】
【発明が解決しようとする課題】
【０００５】
特許文献１のプリーツスクリーンでは、昇降コードは、スクリーンの前後方向の略中央に挿通されて垂下されている。このようなプリーツスクリーンでは、スクリーンは、スムーズに折り畳むことができ、折り畳みの際に生じる問題は認識されていない。
本発明者は、スクリーンの部屋内側に垂下させる昇降コードと、スクリーンの部屋外側に垂下させる昇降コードを有する構成のプリーツスクリーンの開発に際して、このような構成のプリーツスクリーンでは、従来構成のものよりもスクリーンの折り畳みをスムーズに行いにくい場合があるという問題や、昇降コードとスクリーンとが干渉しやすいという問題があることに気がついた。
【０００６】
本発明はこのような事情に鑑みてなされたものであり、スクリーンをスムーズに折り畳むことができるプリーツスクリーンを提供するものである。
【課題を解決するための手段】
【０００７】
本発明によれば、本発明によれば、ヘッドボックスと、前記ヘッドボックスから吊下支持され且つジグザグ状に折り畳み可能なスクリーンと、前記ヘッドボックスから前記スクリーンの部屋内側に垂下される部屋内側昇降コードと、前記ヘッドボックスから前記スクリーンの部屋外側に垂下される部屋外側昇降コードとを備え、前記部屋内側昇降コードと前記部屋外側昇降コードの間の前後方向距離が、前記スクリーンの畳み込み状態での前後方向幅よりも大きい、プリーツスクリーンが提供される。
【０００８】
本発明者は、ある日、スクリーンをじっくり観察してみると、スクリーンの折り目の部分に昇降コードがこすれたような跡が付いていることに気がついた。その原因について、詳細な検討を行ったところ、スクリーンの畳み込み状態ではスクリーンを開いた状態よりもスクリーンの前後方向幅が大きくなり、その結果、スクリーンと昇降コードが擦れてしまったことが分かった。
【０００９】
そして、このような知見に基づき、部屋内側昇降コードと部屋外側昇降コードの間の前後方向距離がスクリーンの畳み込み状態での前後方向幅よりも大きくなるように昇降コードの垂下位置を設定することによって、スクリーンの畳み込み状態においてもスクリーンと昇降コードが干渉することを防ぐことに成功し、本発明の完成に到った。
【００１０】
以下、本発明の種々の実施形態を例示する。以下に示す実施形態は互いに組み合わせ可能である。
好ましくは、前記スクリーンは、一端に生地押さえが取着され、前記ヘッドボックスは、前記生地押さえを保持可能であり且つ前壁と後壁の少なくとも一方を有する生地押さえポケットを下面に有し、以下の特徴（１）〜（２）の少なくとも一方を備える。
（１）前記生地押さえポケットの前壁が前記ヘッドボックスの前壁よりも前後方向中央側に形成され、前記ヘッドボックスの下面は、前記生地押さえポケットの前壁と前記ヘッドボックスの前壁の間では、前記生地押さえポケットの上方での前記ヘッドボックスの下面の高さよりも低くなっており、前記部屋内側昇降コードは、前記生地押さえポケットの前壁と前記ヘッドボックスの前壁の間から垂下される。
（２）前記生地押さえポケットの後壁が前記ヘッドボックスの後壁よりも前後方向中央側に形成され、前記ヘッドボックスの下面は、前記生地押さえポケットの後壁と前記ヘッドボックスの後壁の間では、前記生地押さえポケットの上方での前記ヘッドボックスの下面の高さよりも低くなっており、前記部屋外側昇降コードは、前記生地押さえポケットの後壁と前記ヘッドボックスの後壁の間から垂下される。
好ましくは、以下の特徴（ｉ）〜（ｉｉ）の少なくとも一方を備える。
（ｉ）前記ヘッドボックスの下面は、前記生地押さえポケットの前壁と前記ヘッドボックスの前壁の間では、前記生地押さえポケットの下面と同一面である。
（ｉｉ）前記ヘッドボックスの下面は、前記生地押さえポケットの後壁と前記ヘッドボックスの後壁の間では、前記生地押さえポケットの下面と同一面である。
好ましくは、以下の特徴（Ａ）〜（Ｂ）の少なくとも一方を備える。
（Ａ）前記部屋内側昇降コードは、前記ヘッドボックス内に取着されたサポート部材に設けられた昇降コード導出部を通じて垂下され、前記昇降コード導出部は、前記生地押さえポケットの前壁と前記ヘッドボックスの前壁の間を通じて、前記ヘッドボックスの下面と同一面であるか又は前記ヘッドボックスの下面から下側に突出する。
（Ｂ）前記部屋外側昇降コードは、前記ヘッドボックス内に取着されたサポート部材に設けられた昇降コード導出部を通じて垂下され、前記昇降コード導出部は、前記生地押さえポケットの後壁と前記ヘッドボックスの後壁の間を通じて、前記ヘッドボックスの下面と同一面であるか又は前記ヘッドボックスの下面から下側に突出する。
好ましくは、前記昇降コード導出部と、前記部屋外側昇降コード又は前記部屋内側昇降コードの間の前後方向距離は、前記スクリーンの畳み込み状態での前後方向幅よりも大きい。
好ましくは、前記生地押さえポケットの前壁又は後壁は、畳み込み状態での前記スクリーンの前縁又は後縁と前後方向の位置が同じか、前記スクリーンの前縁又は後縁よりも前後方向中央側に位置している。
好ましくは、前記部屋内側昇降コードと前記部屋外側昇降コードは、同時に操作される。
【図面の簡単な説明】
【００１１】
【図１】本発明の第１実施形態のプリーツスクリーンの（ａ）正面図、（ｂ）平面図である。
【図２】図２（ａ）は、図１のプリーツスクリーンの右側面図である。図２（ｂ）〜（ｃ）は、ヘッドボックス１、ボトムレール５、昇降コード７、及びスクリーン４を抜き出した右側面図であり、図２（ｂ）は、スクリーン４が引き伸ばされている状態を示し、図２（ｃ）は、スクリーン４の畳み込み状態を示す。
【図３】図１のプリーツスクリーンの昇降コード７の配置を示す模式図である。
【図４】図４（ａ）は、図１（ｂ）に対応した図であり、図１（ｂ）から昇降コード７の上側にある要素を取り除いて昇降コード７の配置を分かりやすくしたものである。図４（ｂ）〜（ｄ）は、それぞれ、図４（ａ）中の領域Ｌ，Ｃ，Ｒの拡大図である。
【図５】図１（ｂ）中のＣ−Ｃ断面図である。
【図６】図５に対応した図であり、ピッチ保持コード３９を表示せず、畳み込み状態のスクリーン４を表示している。また、昇降コード７ｌ，７ｒの垂下位置を点線で表示している。
【図７】本発明の第２実施形態のプリーツスクリーンについての図５に対応した図であり、生地押さえポケット２の後壁２ｅがヘッドボックス１の後壁１ｃよりも前後方向中央側に形成されている例を示す。
【図８】本発明の第２実施形態のプリーツスクリーンについての図１（ｂ）中のＲ−Ｒ断面に対応した断面図を示す。
【図９】本発明の第３実施形態のプリーツスクリーンの（ａ）正面図、（ｂ）右側面図、（ｃ）平面図である。
【図１０】図１０（ａ）〜（ｃ）は、それぞれ、図９（ｃ）中のＺ−Ｚ断面図、Ｙ−Ｙ断面図、Ｘ−Ｘ断面図である。
【図１１】図１０（ｂ）中の領域Ｓの拡大図である。スクリーン４ａ，４ｂをヘッドボックス１から取り外した状態を表示している。
【図１２】図１０（ｂ）中の領域Ｓの拡大図である。ピッチ保持コード３９ａ，３９ｂを表示せず、畳み込み状態のスクリーン４ａ，４ｂを表示している。また、昇降コード６ｌ，６ｒ及び昇降コード７ｌ，７ｒの垂下位置を点線で表示している。
【発明を実施するための形態】
【００１２】
以下、本発明の実施形態について説明する。以下に示す実施形態中で示した各種特徴事項は、互いに組み合わせ可能である。
【００１３】
１．第１実施形態
図１〜図６に示すプリーツスクリーンは、ヘッドボックス１からスクリーン４が吊下支持され、スクリーン４の下端にボトムレール５が取着されている。このプリーツスクリーンは、壁面又は天井面に固定された取付ブラケット２１にヘッドボックス１を装着することによって、壁面又は天井面に取り付けることができる。スクリーン４は、１枚の生地をジグザグ状に折り畳み可能としたものである。
【００１４】
図３に示すように、ボトムレール５には、３本の昇降コード７ｌ，７ｃ，７ｒのそれぞれの一端が取着されている。中央の昇降コード７ｃは、スクリーン４の手前側（部屋内側）に垂下され、両端の昇降コード７ｌ，７ｒは、スクリーン４の裏側（部屋外側）に垂下される。これらの昇降コード７ｌ，７ｃ，７ｒは、ヘッドボックス１内で右側に案内されて、コード出口２３を通じてヘッドボックス１外に引き出され、コードイコライザ１９を介して操作コード１７に連結される。操作コード１７を操作して、コード出口２３からの昇降コード７ｌ，７ｃ，７ｒの引き出し量を変化させることによって、ボトムレール５を昇降させる。以下、昇降コード７ｌ，７ｃ，７ｒを「昇降コード７」と総称する。
【００１５】
操作コード１７を引っ張って昇降コード７を引き出してから手を離すと、ストッパ４１が作動して昇降コード７が保持され、ボトムレール５の自重による降下が妨げられる。操作コード１７を再度少し引っ張るとストッパ４１が昇降コード７を解放し、ボトムレール５を降下させることができる。操作コード１７を操作すると、昇降コード７ｃと昇降コード７ｌ，７ｒの引き出し量が同時に変化してボトムレール５が昇降されるので、ボトムレール５の昇降時にボトムレール５が前後方向に傾斜して昇降コード７がスクリーン４に接触することを防ぐことができる。
【００１６】
なお、昇降コードの配置や本数は適宜変更可能である。例えば、幅方向中央の昇降コードを部屋外側に垂下させ、両端の昇降コードを部屋内側に垂下させてもよく、昇降コードの本数を３本よりも少なく又は多くしてもよい。また、昇降コードは、平面視で前後に互い違いに垂下させてもよく、例えば、部屋内側、部屋外側、部屋外側、部屋内側のように互い違いにならないように垂下させてもよい。さらに、操作コード１７をヘッドボックス１の左端に設け、昇降コード７をヘッドボックス１内で左側に案内させて操作コード１７に連結させてもよい。また、ストッパ４１の構成は特に限定されず、ヘッドボックス１の幅を狭くする必要がある場合には、ストッパ４１を別体として設けず、コード出口２３にストッパの機能を持たせてもよい。さらに、第３実施形態のように、昇降コード６，７を巻取軸９，１０に対して巻取り及び巻戻しを行うことによってスクリーン４ａ，４ｂを昇降させてもよい。また、スクリーンは、１枚であってもよく、前後に２枚のスクリーンを並べたタブルタイプであってもよく、中間レールを介して上下に２枚のスクリーンを並べたペアタイプであってもよい。
【００１７】
ヘッドボックス１とボトムレール５の間には、スクリーン４の折り目のピッチを保持するためのピッチ保持コード３９が設けられている。ピッチ保持コード３９には、環状の保持部４３が等間隔に多数設けられており、この保持部４３をスクリーン４に挿通させた後、昇降コード７を保持部４３に挿通させることによって、保持部４３がスクリーン４から抜けることを防ぎ、これによってスクリーン４のピッチ保持を可能としている。ピッチ保持コード３９は、昇降コード７とはスクリーン４を挟んで反対側に配置されている。
【００１８】
ボトムレール５には、ピッチ保持コード３９を保持するピッチ保持コード保持部材５１と、昇降コード７を保持する昇降コード保持部材５３が取着される。ピッチ保持コード３９及び昇降コード７は、これらの保持部材によって、ボトムレール５に取着される。
【００１９】
図４に示すように、昇降コード７は、サポート部材８によって支持された滑車（ガイド部材）８ｉによって案内され、挿通孔８ｇを通じてヘッドボックス１から垂下される。昇降コード７ｌ，７ｃ，７ｒは、それぞれ、左側、中央、右側のサポート部材８の挿通孔８ｇから垂下される。左側及び右側のサポート部材８は、挿通孔８ｇが部屋外側に配置され、中央のサポート部材８は、挿通孔８ｇが部屋内側に配置されるので、昇降コード７ｌ，７ｒは、スクリーン４の部屋外側に垂下され、昇降コード７ｃは、スクリーン４の部屋内側に垂下される。昇降コード７ｒは、縦滑車６１ｂによって部屋外側に案内され、昇降コード７ｃは、縦滑車６１ｆによって部屋内側に案内される。
【００２０】
次に、図２（ｂ）〜（ｃ）を用いて、昇降コード７と、スクリーン４の位置関係について説明する。図２（ｂ）〜（ｃ）は、ヘッドボックス１、ボトムレール５、昇降コード７、及びスクリーン４を抜き出した右側面図である。昇降コード７ｃは、スクリーン４の部屋内側に垂下され、昇降コード７ｌ，７ｒは、スクリーン４の部屋外側に垂下されている。図２（ｂ）に示すように、スクリーン４が引き伸ばされている状態では、昇降コード７ｃと昇降コード７ｌ，７ｒの間の前後方向距離Ａは、スクリーン４の前後方向幅Ｂよりもかなり大きいが、スクリーン４が畳み込まれるにつれてスクリーン４の前後方向幅Ｂが次第に大きくなり、図２（ｃ）に示す畳み込み状態において、スクリーン４の前後方向幅Ｂが最大になる。畳み込み状態でのスクリーン４の前後方向幅Ｂは、図２（ｂ）に示す折り目５５のピッチと実質的に等しくなる。
【００２１】
本実施形態では、昇降コード７ｃと昇降コード７ｌ，７ｒの間の前後方向距離Ａは、この畳み込み状態でのスクリーン４の前後方向幅Ｂよりも大きくしている。このため、畳み込み状態においても昇降コードとスクリーンの間の干渉を防ぐことができる。Ａ／Ｂの値は、特に限定されないが、例えば１．０１〜１．５であり、１．０５〜１．２が好ましい。この値が小さすぎると昇降コードとスクリーンの間の干渉を防ぐことができず、この値が大きすぎると、美観の悪化やヘッドボックス１の前後方向幅の拡大に繋がる。Ａ／Ｂの値は、具体的には例えば、１．０１、１．０５、１．１、１．１５、１．２、１．２５、１．３、１．３５、１．４、１．４５、１．５であり、ここで例示した数値の何れか２つの間の範囲内であってもよい。本実施形態では、前後方向距離Ａを前後方向幅Ｂよりも大きくするために、図４（ｂ）及び（ｄ）に示す部屋外側に配置された挿通孔８ｇと、図４（ｃ）に示す部屋内側に配置された挿通孔８ｇとの間の前後方向距離が前後方向幅Ｂよりも大きくなるようにサポート部材８を配置している。
【００２２】
ところで、図５に示すように、スクリーン４の上端は、生地押さえ３に取着され、生地押さえ３は、ヘッドボックス１の下面１ａに設けられた生地押さえポケット２に嵌合されている。生地押さえポケット２は、前壁２ａがヘッドボックス１の前壁１ｂよりも前後方向中央側に形成されている。本実施形態では、前壁２ａは、図６に示すように畳み込み状態のスクリーン４の前縁４ｆと前後方向のほぼ同じ位置に位置しているが、前壁２ａは、前縁４ｆよりも前後方向外側に位置するようにしてもよく、前後方向中央側に位置するようにしてもよい。また、前壁２ａから前後方向中央側に延びるように底壁２ｂが形成されている。また、生地押さえポケット２の部屋外側には嵌合片２ｃが形成されている。そして、ヘッドボックス１の下面１ａと、生地押さえポケット２の前壁２ａ及び底壁２ｂによって囲まれて形成された係合溝に生地押さえ３の前縁３ａを引っ掛け、その状態で生地押さえ３の後縁側に設けられた嵌合溝３ｂを嵌合片２ｃに嵌合させることによって生地押さえ３を生地押さえポケット２内に保持させる。ヘッドボックス１の下面１ａは、ヘッドボックス１の前壁１ｂと生地押さえポケット２の前壁２ａの間では、生地押さえポケット２の上方でのヘッドボックス１の下面１ａの高さよりも低くなっており、生地押さえポケット２の下面２ｄと同一面になっている。このような構成により、スクリーン４の畳み込み状態において昇降コード７の露出長さが短くなり、美観を向上させる。また、ヘッドボックス１の下面１ａと生地押さえポケット２の下面２ｄとを同一面にすることによって生地押さえポケット２を目立たなくさせ、この点でも美観を向上させる。
【００２３】
昇降コード７ｃは、ヘッドボックス１の前壁１ｂと生地押さえポケット２の前壁２ａの間から垂下されるが、ヘッドボックス１の下面１ａが下がっているので、昇降コード７ｃがヘッドボックス１と擦れやすい。そこで、サポート部材８に昇降コード導出部８ｐを設け、これを前壁１ｂと前壁２ａの間に配置し、昇降コード導出部８ｐに昇降コード７ｃを挿通させて昇降コード７ｃを垂下させることによって昇降コード７ｃとヘッドボックス１が擦れることを防ぐことができる。昇降コード導出部８ｐは、図６に示すように、ヘッドボックス１の下面１ａから突出しており、昇降コード導出部８ｐと部屋外側の昇降コード７ｌ，７ｒの間の前後方向距離Ａ１が、畳み込み状態でのスクリーン４の前後方向幅Ｂよりも大きくなるように配置している。このように配置することによって、昇降コード導出部８ｐがスクリーン４と干渉することを防ぐことができる。Ａ１／Ｂの値は、特に限定されないが、例えば１．０１〜１．５であり、１．０５〜１．２が好ましい。この値が小さすぎると昇降コードとスクリーンの間の干渉を防ぐことができず、この値が大きすぎると、美観の悪化やヘッドボックス１の前後方向幅の拡大に繋がる。Ａ１／Ｂの値は、具体的には例えば、１．０１、１．０５、１．１、１．１５、１．２、１．２５、１．３、１．３５、１．４、１．４５、１．５であり、ここで例示した数値の何れか２つの間の範囲内であってもよい。
【００２４】
２．第２実施形態
第１実施形態では、ヘッドボックス１の後壁１ｃは、生地押さえポケット２の後壁２ｅと同一面になっているが、本実施形態では、図７〜図８に示すように、生地押さえポケット２の後壁２ｅを、ヘッドボックス１の後壁１ｃよりも部屋内側に形成している。この場合、ヘッドボックス１の下面１ａは、ヘッドボックス１の後壁１ｃと生地押さえポケット２の後壁２ｅの間では、生地押さえポケット２の上方でのヘッドボックス１の下面１ａの高さよりも低くなっており、生地押さえポケット２の下面２ｄと同一面になっている。図８に示すように、昇降コード７を部屋外側に垂下させるサポート部材８では、昇降コード導出部８ｐが後壁１ｃと後壁２ｅの間に配置されるように取り付け、部屋外側の昇降コード７ｒは、昇降コード導出部８ｐを通じて、後壁１ｃと後壁２ｅの間から垂下させることができる。後壁２ｅは、畳み込み状態のスクリーン４の後縁と前後方向のほぼ同じ位置に位置させてもよく、スクリーン４の後縁よりも前後方向外側に位置するようにしてもよく、前後方向中央側に位置するようにしてもよい。
【００２５】
３．第３実施形態
図９〜図１２は、巻取り式のダブルタイプのプリーツスクリーンを示す。このプリーツスクリーンでは、ヘッドボックス１から２枚のスクリーン４ａ，４ｂが前後方向に並べて配置される。スクリーン４ａ，４ｂの下端には、ボトムレール５ａ，５ｂが取着される。ボトムレール５ａには、昇降コード６ｒ，６ｃ，６ｌの一端が取着され、ボトムレール５ｂには、昇降コード７ｒ，７ｃ，７ｌの一端が取着される。昇降コード６ｒ，６ｃ，６ｌを昇降コード６と総称し、昇降コード７ｒ，７ｃ，７ｌを昇降コード７と総称する。昇降コード６，７の他端は、巻取軸９，１０に取着される。また、ボトムレール５ａ，５ｂとヘッドボックス１の間には、保持部４３ａ，４３ｂを有するピッチ保持コード３９ａ，３９ｂが配置される。巻取軸９，１０の回転による昇降コード６，７の巻取り及び巻戻しによってスクリーン４ａ，４ｂが昇降される。巻取軸９，１０は、ヘッドボックス１内に配置されたサポート部材８によって回転可能に支持される。
【００２６】
図１０に示すように、昇降コード６，７は、それぞれ、巻取軸９，１０を前後方向の内側から外側に向かって回転させることによって巻取軸９，１０に巻き取られる。
【００２７】
図１０（ａ）及び（ｃ）に示すように、幅方向両端の組Ｒ，Ｌにおいては、第１アダプタ４９がサポート部材８に嵌合されている。昇降コード６ｒ，６ｌは、第１アダプタ４９によって支持される滑車４９ｉによって案内されて、第１アダプタ４９の挿通孔４９ｇに挿通されて第１スクリーン４ａの部屋外側に垂下される。昇降コード７ｌ，７ｒは、第１アダプタ４９の挿通孔４９ｈに挿通されて、第２スクリーン４ｂの部屋外側に垂下される。
【００２８】
図１０（ｂ）に示すように、幅方向右中央の組Ｃにおいては、第２アダプタ５０がサポート部材８に嵌合されている。昇降コード７ｃは、第２アダプタ５０によって支持される滑車５０ｉによって案内されて、第２アダプタ５０の挿通孔５０ｇに挿通されて第２スクリーン４ｂの部屋内側に垂下される。昇降コード６ｃは、第２アダプタ５０の挿通孔５０ｈに挿通されて、第１スクリーン４ａの部屋内側に垂下される。
【００２９】
部屋内側の昇降コードと部屋外側の昇降コードは、同時に巻取り及び巻戻しされるので、ボトムレールが傾斜して昇降することが防止され、スクリーンと昇降コードの摩擦が最小限に抑えられる。
【００３０】
ところで、図１１に示すように、スクリーン４ａ，４ｂの上端は、第１実施形態と同様に、生地押さえ３３，３４に取着され、生地押さえ３３，３４がヘッドボックス１の下面１ａに設けられた生地押さえポケット１２，１３に嵌合される。生地押さえポケット１２，１３は、前壁１２ａ，１３ａがヘッドボックス１の前壁１ｂよりも部屋外側に形成されており、前壁１２ａ，１３ａから部屋外側に延びるように底壁１２ｂ，１３ｂが形成されている。また、生地押さえポケット１２、１３の部屋外側には嵌合片１２ｃ，１３ｃが形成されている。そして、ヘッドボックス１の下面１ａと、生地押さえポケット１２，１３の前壁１２ａ，１３ａ及び底壁１２ｂ，１３ｂによって囲まれて形成された係合溝に生地押さえ３３，３４の前縁３３ａ，３４ａを引っ掛け、その状態で生地押さえ３３，３４の後縁側に設けられた嵌合溝３３ｂ，３４ｂを嵌合片１２ｃ，１３ｃに嵌合させることによって生地押さえ３３，３４を生地押さえポケット１２，１３内に保持させる。
【００３１】
ヘッドボックス１の下面１ａは、ヘッドボックス１の前壁１ｂと生地押さえポケット１３の前壁１３ａの間では、生地押さえポケット１３の上方でのヘッドボックス１の下面１ａの高さよりも低くなっており、生地押さえポケット１３の下面１３ｄと同一面になっている。このような構成により、図１２に示すようにスクリーン４の畳み込み状態において昇降コード７の露出長さが短くなり、美観を向上させる。また、ヘッドボックス１の下面１ａと生地押さえポケット１３の下面１３ｄとを同一面にすることによって生地押さえポケット１３を目立たなくさせ、この点でも美観を向上させる。また、第２実施形態のように、生地押さえポケット１２の後壁１２ｅをヘッドボックス１の後壁１ｃよりも部屋内側に形成してもよい。
【００３２】
昇降コード７ｃは、ヘッドボックス１の前壁１ｂと生地押さえポケット１３の前壁１３ａの間から垂下されるが、ヘッドボックス１の下面１ａが下がっているので、昇降コード７ｃがヘッドボックス１と擦れやすい。そこで、サポート部材８に嵌合された第２アダプタ５０に昇降コード導出部５０ｐを設け、これを前壁１ｂと前壁１３ａの間に配置し、この昇降コード導出部５０ｐに昇降コード７ｃを挿通させて昇降コード７ｃを垂下させることによって昇降コード７ｃとヘッドボックス１が擦れることを防ぐことができる。
【００３３】
図１２に示すように、部屋内側の昇降コード６ｃと部屋外側の昇降コード６ｌ，６ｒの間の前後方向距離Ａ及び部屋内側の昇降コード７ｃと部屋外側の昇降コード７ｌ，７ｒの間の前後方向距離Ａは、畳み込み状態でのスクリーン４ａ，４ｂの前後方向幅Ｂよりも大きくなっている。このように配置することによって、昇降コードとスクリーンの干渉を防ぐことができる。また、昇降コード導出部５０ｐは、昇降コード導出部５０ｐと部屋外側の昇降コード７ｌ，７ｒの間の前後方向距離Ａ１が、畳み込み状態でのスクリーン４ｂの前後方向幅Ｂよりも大きくなるように配置している。このように配置することによって、ヘッドボックス１の下面１ａから突出する昇降コード導出部５０ｐがスクリーン４ｂと干渉することを防ぐことができる。Ａ／Ｂの値及びＡ１／Ｂの値は、特に限定されないが、それぞれ、例えば１．０１〜１．５であり、１．０５〜１．２が好ましい。この値が小さすぎると昇降コードや昇降コード導出部とスクリーンの間の干渉を防ぐことができず、この値が大きすぎると、美観の悪化やヘッドボックス１の前後方向幅の拡大に繋がる。Ａ／Ｂの値及びＡ１／Ｂの値は、それぞれ、具体的には例えば、１．０１、１．０５、１．１、１．１５、１．２、１．２５、１．３、１．３５、１．４、１．４５、１．５であり、ここで例示した数値の何れか２つの間の範囲内であってもよい。
【符号の説明】
【００３４】
１：ヘッドボックス
４：スクリーン
５：ボトムレール
６，７：昇降コード
８：サポート部材
９，１０：巻取軸
３９：ピッチ保持コード
４１：ストッパ
【図１】
2014218803.tif 000003
【図２】
2014218803.tif 000004
【図３】
2014218803.tif 000005
【図４】
2014218803.tif 000006
【図５】
2014218803.tif 000007
【図６】
2014218803.tif 000008
【図７】
2014218803.tif 000009
【図８】
2014218803.tif 000010
【図９】
2014218803.tif 000011
【図１０】
2014218803.tif 000012
【図１１】
2014218803.tif 000013
【図１２】
2014218803.tif 000014